(57)【要約】【課題】  刷り本を断裁する新たな装置を提供する。【解決手段】  刷り本を断裁する装置は第１の側縁の断裁を行うための第１の天地仕上げカッター２１を有し、第１の天地仕上げカッター２１は可動に支持された第１の天地仕上げカッターホルダ３１に取り付けられており、さらに前記装置は第２の側縁の断裁を行うための第２の天地仕上げカッター２２を有しており、第２の天地仕上げカッター２２は可動に支持された第２の天地仕上げカッターホルダ３２に取り付けられている。カッターホルダ３１，３２はそれぞれ、機械的に互いに独立した個別の駆動装置９１，９２を有している。【選択図】  図１ａ
2004330410.tif 000002
【特許請求の範囲】
【請求項１】
刷り本（１，１’）を断裁する装置であって、前記装置（１００）は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられている、刷り本を断裁する装置において、
前記カッターホルダ（３１，３２）が、機械的に互いに独立した個別の駆動装置（９１，９２）を有していることを特徴とする、刷り本を断裁する装置。
【請求項２】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられている、刷り本を断裁する装置において、
前記装置が、少なくとも１つの前記カッターホルダ（３１，３２，３３）をその運動方向に沿って両側で案内する、少なくとも１つの案内部（５０）を有していることを特徴とする、刷り本を断裁する装置。
【請求項３】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられている、刷り本を断裁する装置において、
前記装置が前記カッターホルダを駆動装置と連結するロッド機構（６９，７０，７１）を有しており、前記ロッド機構（６９，７０，７１）は第１の連結器（６９）と第２の連結器（７０）で構成されており、前記第１の連結器（６９）は前記カッターホルダ（３１，３２，３３）、カッターホルダハウジング（６１，６２）、および可動のロッド（７０）を介して偏心して駆動ディスク（７２）と連結されており、前記第２の連結器（７０）は前記カッターホルダハウジング（６１，６２）および前記カッターホルダ（３１，３２，３３）と連結されていることを特徴とする、刷り本を断裁する装置。
【請求項４】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられている、刷り本を断裁する装置において、
前記天地仕上げカッターホルダ（３１，３２）が、制御部（９９）により少なくとも１つの天地仕上げカッターホルダ（３１，３２）の運動を停止可能であるように駆動され、支持されていることを特徴とする、刷り本を断裁する装置。
【請求項５】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられている、刷り本を断裁する装置において、
前記カッターホルダ（３１，３２，３３）がカッターホルダハウジング（６１，６２）に可動に取り付けられており、前記カッターホルダハウジング（６１，６２）は、前記装置（１００）のハウジング（８０）に取り付けられた、互いに平行な２つの案内ロッド（８５，８６）上に水平方向へスライド可能に支持されており、前記案内ロッド（８５，８６）は特に円形の断面をもつ案内ロッド（８５，８６）であることを特徴とする、刷り本を断裁する装置。
【請求項６】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられており、さらに前記装置は各天地仕上げカッター（２１，２２）に加えて側方の刷り本縁部を押え付ける装置を有しており、側方の刷り本縁部を押え付ける前記装置は押圧条片（１６７）を有している、刷り本を断裁する装置において、
側方の刷り本縁部を押え付ける前記装置が天地仕上げカッターホルダハウジング（６１，６２）に可動に取り付けられていることを特徴とする、刷り本を断裁する装置。
【請求項７】
刷り本（１，１’）を断裁する装置であって、前記装置は第１の側縁の断裁を行うための少なくとも１つの第１の天地仕上げカッター（２１）を有しており、前記第１の天地仕上げカッター（２１）は可動に支持された第１の天地仕上げカッターホルダ（３１）に取り付けられており、さらに前記装置は第２の側縁の断裁を行うための第２の天地仕上げカッター（２２）を有しており、前記第２の天地仕上げカッター（２２）は可動に支持された第２の天地仕上げカッターホルダ（３２）に取り付けられており、さらに前記装置は各天地仕上げカッター（２１，２２）の間に刷り本面を押え付ける装置を有しており、刷り本面を押え付ける前記装置は少なくとも１つの駆動装置（１７０）と、前記駆動装置（１７０）と連結された推進ロッド（１７１）と、これと連結された押圧プレート（１８０）とを有している、刷り本を断裁する装置において、
刷り本面を押え付ける前記装置が、前記推進ロッド（１７１）に対して垂直に、かつ前記天地仕上げカッター（２１，２２）と平行に配置され、連結部材（１８１，１８２）を有する横方向ロッド（１７２）をさらに有しており、この連結部材により前記押圧プレート（１８０）が推進ロッド（１７１）に取外し可能に係止されることを特徴とする、刷り本を断裁する装置。
【請求項８】
前記装置が少なくとも１つの案内部（５０）を有しており、この案内部により、少なくとも１つの前記カッターホルダがその運動方向に沿って両側で案内され、前記案内部（５０）は両側とも、磨耗の少ない材料の少なくとも１つの案内面（５０）でできている、請求項１から７までのいずれか１項に記載の装置。
【請求項９】
磨耗の少ない前記材料がＰＥＴである、請求項８に記載の装置。
【請求項１０】
少なくとも１つの調節ネジ（５１）が少なくとも１つの前記案内面（５０）に付属するように設けられており、この調節ネジにより、前記案内面（５０）の位置を、前記カッターホルダ（３１，３２，３３）の位置との相関関係で変えることができる、請求項８または９に記載の装置。
【請求項１１】
前記装置がロッド機構（６９，７０，７１）を有しており、このロッド機構によって前記カッターホルダが駆動装置と連結されており、前記ロッド機構（６９，７０，７１）は第１の連結器（６９）と第２の連結器（７０）で構成されており、前記第１の連結器（６９）は前記カッターホルダ（３１，３２，３３）、カッターホルダハウジング（６１，６２）、および可動のロッド（７０）を介して偏心して駆動ディスク（７２）と連結されており、前記第２の連結器（７０）は前記カッターホルダハウジング（６１，６２）および前記カッターホルダ（３１，３２，３３）と連結されており、第１の連結器（６９）と第２の連結器（６９）は、前記カッターホルダハウジング（６１，６２）との接触部位と、前記カッターホルダ（３１，３２，３３）との接触部位との間の距離が、第１の連結器（６９）の場合と第２の連結器（７０）の場合とで異なるように設計されている、請求項１から１０までのいずれか１項に記載の装置。
【請求項１２】
前記装置がロッド機構（６９，７０，７１）を有しており、このロッド機構によって前記カッターホルダが駆動装置と連結されており、前記ロッド機構（６９，７０，７１）は第１の連結器（６９）と第２の連結器（７０）で構成されており、前記第１の連結器（６９）は前記カッターホルダ（３１，３２，３３）、カッターホルダハウジング（６１，６２）、および可動のロッド（７０）を介して偏心して駆動ディスク（７２）と連結されており、前記第２の連結器（７０）は前記カッターホルダハウジング（６１，６２）および前記カッターホルダ（３１，３２，３３）と連結されており、前記装置（１００）は、所定の断裁深さに達すると駆動の逆転によって前記カッターホルダ（３１，３２，３３）の下方運動を終わらせるように設計された制御部（９９）を有している、請求項１から１１までのいずれか１項に記載の装置。
【請求項１３】
前記カッターホルダ（３１，３２）がカッターホルダハウジング（６１，６２）に可動に取り付けられており、前記カッターホルダハウジング（６１，６２）は、前記装置（１００）のハウジング（８０）に取り付けられた、互いに平行な２つの案内ロッド（８５，８６）に水平方向へスライド可能に支持されており、両方の前記カッターホルダハウジング（６１，６２）は、前記装置（１００）の前記ハウジング（８０）に取り付けられた、互いに平行な２つの同じ案内ロッド（８５，８６）に支持されている、請求項１から１２までのいずれか１項に記載の装置。
【請求項１４】
前記装置が少なくとも１つの駆動装置（１４１）を有しており、この駆動装置により、少なくとも１つの前記カッターホルダハウジング（６１，６２）が、これに取り付けられた前記カッターホルダ（３１，３２）とともに、水平方向へ前記案内ロッド（８５，８６）に沿ってスライド可能である、請求項１３に記載の装置。
【請求項１５】
前記装置（１００）が、２つの平行な前記案内ロッド（８５，８６）の少なくとも一方と平行にネジ付きスピンドル（１４５，１４６）を有しており、このネジ付きスピンドルにより、前記駆動装置（１４１）の駆動運動が前記カッターホルダハウジング（６１，６２）の水平方向の運動に変換される、請求項１４に記載の装置。
【請求項１６】
前記装置（１００）が、断裁される刷り本（１，１’）の寸法に応じて、２つの平行な前記案内ロッド（８５，８６）の上での前記カッターホルダハウジング（６１，６２）の位置を自動的に変える制御部（９９）を含んでいる、請求項１３から１５までのいずれか１項に記載の装置。
【請求項１７】
少なくとも１つの前記カッターホルダハウジング（６１，６２）がブレーキ（１５０，１５１，１５２，１５３，１５４）を有しており、このブレーキにより、少なくとも１つの前記カッターホルダハウジング（６１，６２）を、互いに平行な２つの前記案内ロッド（８５，８６）の少なくとも一方の上で固定することができる、請求項１３から１６までのいずれか１項に記載の装置。
【請求項１８】
前記装置（１００）が、前記カッターホルダ（３１，３２）が垂直方向へ動く前に、前記ブレーキ（１５０，１５１，１５２，１５３，１５４）を用いて少なくとも１つの前記カッターホルダハウジング（６１，６２）を２つの平行な前記案内ロッド（８５，８６）の一方の上で固定する制御部（９９）を有している、請求項１７に記載の装置。
【請求項１９】
前記装置（１００）が各天地仕上げカッター（２１，２２，２３）に加えて側方の刷り本縁部を押え付ける装置を有しており、側方の刷り本縁部を押え付ける前記装置は押圧条片（１６７）を有しており、刷り本縁部を押え付ける前記装置は前記天地仕上げカッターホルダハウジング（６１，６２）とともに水平方向へスライド可能である、請求項１から１８までのいずれか１項に記載の装置。
【請求項２０】
前記押圧条片（１６７）が両方の端部に、垂直方向へ可動なように案内部（１６６）に支持され、それぞれトグルレバー（１６４）を介して共通の横木（１６３）と連結されたロッド（１６１）を有している、請求項１９に記載の装置。
【請求項２１】
刷り本縁部を押え付ける前記装置が、前記横木（１６３）を実質的に水平方向へ駆動する駆動装置（１６０）、特に空気圧式の駆動装置（１６０）を有しており、実質的に水平方向の運動が前記トグルレバー（１６４）によって前記押圧条片（１６７）の垂直方向の運動に変換される、請求項２０に記載の装置。
【請求項２２】
前記装置（１００）が各天地仕上げカッター（２１，２２）の間に刷り本面を押え付ける装置を有しており、刷り本面を押え付ける前記装置は少なくとも１つの駆動装置（１７０）と、前記駆動装置（１７０）と連結された推進ロッド（１７１）と、これと連結された押圧プレート（１８０）とを有しており、前記装置は前記押圧プレート（１８０）を交換するための導入補助具（１９０）を有しており、前記導入補助具（１９０）は、前記押圧プレート（１８０）の交換時に前記横方向ロッド（１７２）と一直線上に並ぶ導入レール（１９０）を有している、請求項１から２１までのいずれか１項に記載の装置。
【請求項２３】
前記押圧プレート（１８０）が、導入ロッド（１９５）を連結することができる連結機構（１８３）を有している、請求項２２に記載の装置。
【請求項２４】
前記装置（１００）が、異なる寸法の前記押圧プレート（１８０）を備えるラックを有している、請求項２２または２３に記載の装置。
【請求項２５】
前記装置（１００）が、自動的に押圧プレート交換するための手段を有している、請求項２２から２４までのいずれか１項に記載の装置。
【請求項２６】
前記押圧プレート（１８０）の下面が連結部材を有しており、この連結部材により、前記押圧プレート（１８０）の下側に押圧プレート拡大部（１８５）を受容することができ、特に、剛性の高い板紙（１８５）を受容するための接着面を受容することができる、請求項２２から２５までのいずれか１項に記載の装置。
【請求項２７】
前記押圧プレート拡大部（１８５）が、刷り本（１）を断裁するための前記天地仕上げカッター（２１，２２）と同じ位置設定で断裁された板紙（１８５）である、請求項２６に記載の装置。
【請求項２８】
前記両天地仕上げカッター（２１，２２）が相互に交換可能である、請求項１から２７までのいずれか１項に記載の装置。
【請求項２９】
前記装置が、前端の断裁を行うための小口仕上げカッター（２３）を有しており、前記小口仕上げカッター（２３）は、可動に支持された小口仕上げカッターホルダ（３３）に取り付けられている、請求項１から２８までのいずれか１項に記載の装置。
【請求項３０】
前記小口仕上げカッター（２３）および／または前記小口仕上げカッターホルダ（３３）が、請求項１から２８までのいずれか１項に記載の前記天地仕上げカッター（２３）ないし前記天地仕上げカッターホルダ（３３）と同じ特性を有している、請求項２９に記載の装置。
【請求項３１】
刷り本（１，１’）を断裁する装置をセットアップする方法において、
ａ）カッターホルダ（３１，３２，３３）のゼロ位置よりも上側にあるカッター交換位置へと前記カッターホルダ（３１，３２，３３）を動かすステップと、
ｂ）前記カッターホルダ（３１，３２，３３）にカッター（２１，２２，２３）を緩やかに引っ掛けるステップと、
ｃ）前記カッターホルダ（３１，３２，３３）のゼロ位置へ前記カッターホルダ（３１，３２，３３）を降下させるステップと、
ｄ）前記カッター（２１，２２，２３）のゼロ位置である断裁台へと前記カッター（２１，２２，２３）を降下させるステップと、
ｅ）前記カッター（２１，２２，２３）のゼロ位置で前記カッター（２１，２２，２３）を固定するステップとを有している
ことを特徴とする、刷り本を断裁する装置をセットアップする方法。
【請求項３２】
ｆ）前記カッターホルダ（３１，３２，３３）のゼロ位置を制御技術的に変位させることで、前記カッター（２１，２２，２３）のゼロ位置を修正するステップをさらに含んでいる、請求項３１に記載の方法。
【請求項３３】
ｇ）前記ステップｂ）の前に、前記カッター（２１，２２，２３）に交換用グリップを取り付けるステップをさらに含んでいる、請求項３１または３２に記載の方法。
【請求項３４】
前記ステップａ）からｅ）および／またはｆ）を、前記装置（１００）の各カッター（２１，２２，２３）について個別に実行する、請求項３１から３３までのいずれか１項に記載の方法。
【発明の詳細な説明】
【技術分野】
【０００１】
本発明は、請求項１の前提項に記載されている、刷り本を断裁する装置に関する。
【背景技術】
【０００２】
前述した種類の装置は、３つの断裁カッター、すなわち１つの小口仕上げカッターと２つの天地仕上げカッターとを含む、製本業で用いられている断裁装置である。このような三方断裁機には、すでに背のところで綴じられた本、すなわち、たとえば無線綴じが行われた刷り本や、重ね綴じ機で丁合いが行われて綴じられた折り丁などが、供給部を介して供給される。三方断裁機の役割は、本を側面と前縁のところで最終的な所望の判型に合わせて断裁することにある。このとき、基本的に２つの断裁原理、すなわち土台に対する断裁と、対向カッター（Ｇｅｇｅｎｍｅｓｓｅｒ）に対する断裁とが区別される。
【０００３】
このような種類の三方断裁機の駆動装置は、一定の回転数で回り続けるロータをもつ電動モータ、たとえば交流モータや直流モータと、制御可能なクラッチ、またはクラッチとブレーキの組み合せを介して電動モータと連結可能な共通の駆動軸と、すべてが共通の駆動軸と機械的に連結された、均一または不均一に伝達をする複数の伝動装置とを含んでいる。
【０００４】
特許文献１より、三方断裁機の天地仕上げカッターを、前小口のための小口仕上げカッターから独立して作動させることが公知である。これらの断裁カッターは、十分な安定性を得るために、共通の軸の上で水平方向へスライド可能なように支持されており、したがって、常に同時に作動する。
【特許文献１】欧州特許明細書０７４０９８３
【発明の開示】
【発明が解決しようとする課題】
【０００５】
しかしいくつかの用途では、天地仕上げカッターの一方だけが断裁をするのが有利である。このことは、従来技術に基づく装置では、必要のない天地仕上げカッターを取り外し、その後で再びあらためて取り付けて調節することによってしか実現することができない。この場合、両方の天地仕上げカッターが、両方とも同じ断裁運動を行うので、互いに正確にアライメントされるように注意しなくてはならない。このような作業を改善することができるのが望ましい。
【０００６】
本発明の目的は、刷り本を断裁する新たな装置を提供することである。
【課題を解決するための手段】
【０００７】
この目的は、請求項１に記載の特徴を備える、刷り本を断裁する本発明の装置によって達成される。さらに、本発明は、請求項３１の方法ステップを備える、刷り本を断裁する本発明の装置をセットアップする方法も含んでいる。その他の特徴やステップは、他の独立請求項や従属項に記載されている。
【０００８】
それによれば本発明の装置は刷り本を断裁する装置であり、前記装置は前端の断裁を行うための少なくとも１つの小口仕上げカッターを有しており、小口仕上げカッターは可動に支持された小口仕上げカッターホルダに取り付けられており、さらに前記装置は第１の側縁の断裁を行うための第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、これらのカッターホルダは機械的に互いに独立した個別の駆動装置を有している。それにより、装置に関してそれ以外の変更を何も行う必要なく、一方の天地仕上げカッターの駆動を停止して、一方の天地仕上げカッターだけで断裁をすることが可能である。
【０００９】
別の有利な実施態様では、本発明の装置は刷り本を断裁する装置であり、前記装置は前端の断裁を行うための少なくとも１つの小口仕上げカッターを有しており、小口仕上げカッターは可動に支持された小口仕上げカッターホルダに取り付けられており、さらに前記装置は第１の側縁の断裁を行うための第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、前記装置は少なくとも１つのカッターホルダをその運動方向に沿って両側で案内する少なくとも１つの案内部を有している。このカッターホルダは、天地仕上げカッターホルダの一方であるのが有利であり、本発明による装置のすべてのカッターホルダであるのが特別に有利である。
【００１０】
案内軸が一緒に動く、当分野に属する従来技術の装置では、カッターやカッターホルダの側方の案内部を両側で案内することができない。そのために必要なスペースが、運動時に案内軸によって必要とされるからである。断裁時に運動方向に沿ってカッターホルダを両側で案内することは、一方では、特別にきれいな切口につながる。当分野に属する従来技術の装置では、その代わりに、案内軸を特別に強固に高い曲げ剛性で設計しなければならず、そのために、運動すべき重量が非常に大きくなるという欠点がある。両側の案内部によって、厚さが最大６ｃｍの刷り本でも、比較的出力の低い駆動装置によってきれいに断裁することができる。
【００１１】
本発明による装置の有利な発展例では、案内部は両側とも、磨耗の少ない材料の少なくとも１つの案内面でできている。特に、磨耗の少ない材料はＰＥＴである。ＰＥＴの材料特性に基づき、たとえばブロンズの案内部の場合には必要となる追加の潤滑は必要ない。それによって保守コストが減り、操作者や刷り本を汚す可能性がある汚れの源もなくなる。これに代えて、この分野の当業者には多数のものが周知となっているように、磨耗の少ない他の材料を用いることもできる。
【００１２】
本発明による装置の有利な発展例では、少なくとも１つの調節ネジが少なくとも１つの案内面に付属するように設けられ、この調節ネジにより、案内面の位置を、カッターホルダの位置との相関関係で変えることができる。これは、案内面をカッターホルダに最善に当て付けることができるように配置されるのが有利である、複数の調節ネジであるのが好ましい。
【００１３】
他の有利な実施態様では、本発明の装置は刷り本を断裁する装置であり、前記装置は前端の断裁を行うための少なくとも１つの小口仕上げカッターを有しており、小口仕上げカッターは可動に支持された小口仕上げカッターホルダに取り付けられており、さらに前記装置は第１の側縁の断裁を行うための第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、前記装置はロッド機構を有しており、このロッド機構によってカッターホルダが駆動装置と連結されており、ロッド機構は第１の連結器と第２の連結器で構成されており、第１の連結器はカッターホルダ、カッターホルダハウジング、および可動のロッドを介して偏心して駆動ディスクと連結されており、第２の連結器はカッターホルダハウジングおよびカッターホルダと連結されている。特に、第１の連結器と第２の連結器は、カッターホルダハウジングとの接触部位と、カッターホルダとの接触部位との間の距離が、第１の連結器の場合と第２の連結器の場合とで異なるように設計されている。それにより、カッターホルダが下方運動をすると、カッターが最初は刷り本の１つの側で沈み込むが土台に達すると土台と平行に向く、スイング断裁が自動的に生じる。それにより、一方では見た目に好ましい切口を得ることができ、他方では、それによって開始時に生じる切断力が減り、このことは駆動装置、カッター、およびこれに付属する機構の負担を少なくし、それによって装置の耐久性を高める。
【００１４】
本発明による装置の有利な発展例では、本装置は、所定の断裁深さに達すると駆動の逆転によってカッターホルダの下方運動を終わらせるように設計された制御部を有している。それにより、特にカッターがすでに取り付けられている場合でも、駆動の逆転の時点を決めることによって断裁深さを変えることができる。たとえば、断裁深さが十分でないことや、断裁深さが土台に大きく食い込みすぎていることに操作者が気づくと、制御部を介しての変更により、たとえば初期荷重の変更により、断裁深さを簡単なやり方で変えることができる。この実施態様で、本発明の装置が個々の天地仕上げカッターのための個別駆動装置を有していると、操作者は、カッターを取り外す必要なしに、それぞれ個々の天地仕上げカッターの断裁深さを別々に簡単なやり方で変えることができ、このことはセットアップの大幅な簡略化と迅速化を意味している。
【００１５】
別の有利な実施態様では、本発明の装置は刷り本を断裁する装置であり、前記装置は第１の側縁の断裁を行うための少なくとも１つの第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、これらの天地仕上げカッターホルダは、制御部により少なくとも１つの天地仕上げカッターホルダの運動を停止可能であるように駆動され、支持されている。このことは、たとえば天地仕上げカッターの個別駆動装置を設けることによって実現することができる。
【００１６】
別の有利な実施態様では、本発明の装置は刷り本を断裁する装置であり、前記装置は第１の側縁の断裁を行うための少なくとも１つの第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、第１の側縁の断裁と第２の側縁の断裁とは互いに平行に行われ、カッターホルダはカッターホルダハウジングに可動に取り付けられており、カッターホルダハウジングは、前記装置のハウジングに取り付けられた、互いに平行な２つの案内ロッドに水平方向へスライド可能に支持されており、案内ロッドは特に円形の断面をもつ案内ロッドである。それにより、装置のフレーム全体の高い安定性を得ることができる。しかも、それによって実現されるカッターホルダハウジングの２点支持は、カッターホルダおよびカッター自体の確実かつ安定した案内をもたらし、それにより、ひいては見た目に好ましい刷り本の切口を得ることができる。
【００１７】
本発明による装置の有利な発展例では、両方の天地仕上げカッターホルダハウジングは、本装置のハウジングに取り付けられた、互いに平行な２つの同じ案内ロッドに支持される。本装置は少なくとも１つのカッターホルダハウジングを、これに取り付けられたカッターホルダとともに、水平方向へ案内ロッドに沿ってスライド可能にする少なくとも１つの駆動装置を有しているのが有利である。この駆動装置により、特に本装置の中心線に関して対称に、両方のカッターホルダを動かすことができる利点がある。
【００１８】
本発明による装置の別の有利な発展例では、本装置は、２つの平行な案内ロッドの少なくとも一方と平行にネジ付きスピンドルを有しており、このネジ付きスピンドルにより、駆動装置の駆動運動がカッターホルダハウジングの水平方向の運動に変換される。
【００１９】
本発明による装置の別の有利な発展例では、本装置は、断裁される刷り本の寸法に応じて、２つの平行な案内ロッドの上の天地仕上げカッターホルダハウジングの位置を自動的に変える制御部を含んでいる。
【００２０】
本発明による装置の別の有利な発展例では、少なくとも１つのカッターホルダハウジングはブレーキを有しており、このブレーキにより、少なくとも１つのカッターホルダハウジングを、互いに平行な２つの案内ロッドの少なくとも一方の上で固定することができる。断裁時には、切口に対して垂直に著しい横方向力が生じる。ブレーキによって、断裁時の負荷を、カッターホルダ／カッターホルダハウジングを側方で揃えるためのスピンドルまたはその他の機構から切り離すことができる。それにより、影響を受けやすく高価な構成部品が、不要な磨減から守られる。それに応じて本装置は、カッターホルダが垂直方向に動く前に、ブレーキを用いて少なくとも１つのカッターホルダハウジングを、２つの平行な案内ロッドの一方の上で固定する制御部を有しているのが好ましい。
【００２１】
別の有利な実施態様では、本発明の装置は刷り本を断裁する装置であり、前記装置は第１の側縁の断裁を行うための少なくとも１つの第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、第１の側縁の断裁と第２の側縁の断裁とは互いに平行に行われ、さらに前記装置は各天地仕上げカッターに加えて側方の刷り本縁部を押え付ける装置を有しており、側方の刷り本縁部を押え付ける装置は押圧条片を有しており、側方の刷り本縁部を押え付ける装置は天地仕上げカッターホルダハウジングに可動に取り付けられている。側方の刷り本縁部を押え付ける装置は、天地仕上げカッターホルダハウジングとともに水平方向へスライド可能であるのが有利である。それにより、押え付け具はカッターから常に同じ距離だけ離れているので、判型に関わりなく同じ断裁品質を得ることができる。
【００２２】
本発明による装置の有利な発展例では、押圧条片は両方の端部に、垂直方向に可動なように案内部に支持され、それぞれトグルレバーを介して共通の横木と連結されたロッドを有している。側方の刷り本縁部を押え付ける装置は、横木を実質的に水平方向に駆動する駆動装置、特に空気圧式の駆動装置を有しているのが有利であり、実質的に水平方向の運動がトグルレバーによって押圧条片の垂直方向の運動に変換される。トグルレバーによって水平方向の運動が垂直方向の運動に変換されることにより、垂直方向の案内部が特別に安定になり、トグルレバーは、トグルレバーとロッドをつなぐ連結部材が中に取り付けられた長孔を有しているのが有利である。それにより、ロッドや軸受の水平方向の有害な負荷が生じるのを防ぐことができる。このことは、各部品の耐久性に対してプラスに作用する。さらに、横木によって、押圧条片が刷り本の土台と常に平行に動くことが実現される。このことは、たとえば不均一な印刷のため、あるいは本の背のために、刷り本は必ずしも押圧条片との接触面全体にわたって一定の厚さを有していないという理由から重要である。
【００２３】
別の有利な実施態様では、本発明の装置は刷り本を断裁する装置であり、前記装置は第１の側縁の断裁を行うための少なくとも１つの第１の天地仕上げカッターを有しており、第１の天地仕上げカッターは可動に支持された第１の天地仕上げカッターホルダに取り付けられており、さらに前記装置は第２の側縁の断裁を行うための第２の天地仕上げカッターを有しており、第２の天地仕上げカッターは可動に支持された第２の天地仕上げカッターホルダに取り付けられており、第１の側縁の断裁と第２の側縁の断裁とは互いに平行に行われ、さらに前記装置は各天地仕上げカッターの間に刷り本面を押え付ける装置を有しており、刷り本面を押え付ける装置は少なくとも１つの駆動装置と、駆動装置と連結された推進ロッドと、これと連結された押圧プレートとを有しており、刷り本面を押え付ける装置は、さらに、推進ロッドに対して垂直に、かつ天地仕上げカッターと平行に配置され、連結部材を有する横方向ロッドを有しており、この連結部材により押圧プレートが推進ロッドに取外し可能に係止される。それにより、一方では押圧プレートの容易な交換と確実な取付が保証され、また他方では、判型を変更するときに押圧プレートの迅速な交換が可能である。
【００２４】
本発明による装置の有利な発展例では、本装置は押圧プレートを交換するための導入補助具を有しており、この導入補助具は、押圧プレートの交換時に横方向ロッドと一直線上に並ぶ導入レールを有している。それにより、操作者は押圧プレートを導入レールに引っ掛けるだけでよいので、押圧プレートを交換することが操作者にとって大幅に容易になる。
【００２５】
本発明による装置の有利な発展例では、押圧プレートは、導入ロッドを連結することができる連結機構を有している。これは、たとえば導入ロッドをねじ込んだり、回して外したりすることができるねじ山である。
【００２６】
本発明による装置の有利な発展例では、本装置はさまざまな寸法の押圧プレートを含むラックを有している。特に、本装置は、自動的な押圧プレート交換のための手段を有しているのが好ましい。
【００２７】
本発明による装置の有利な発展例では、押圧プレートの下面は連結部材を有しており、この連結部材により、押圧プレートの下側に押圧プレート拡大部を受け入れることができ、特に、剛性の高い板紙を受け入れるための接着面を設けることができる。特に、この別の押圧プレートは、刷り本を断裁する天地仕上げカッターと同じ位置設定で断裁された板紙によって構成される。
【００２８】
本発明による装置の有利な発展例では、天地仕上げカッター同士は相互に交換可能である。それにより、カッターの備蓄だけでなくカッターの製造も低コストになる。３つすべてのカッターが相互に交換可能であるのが特別に有利である。カッターホルダは長孔を有しているのが有利であり、この長孔を通してカッターがネジによりカッターホルダにネジ止めされる。
【００２９】
さらに、本発明は、刷り本を断裁する装置においてカッターホルダにカッターを取り付ける方法も含んでおり、この方法は、
ａ）カッターホルダのゼロ位置よりも上側にあるカッター交換位置へとカッターホルダを動かすステップと、
ｂ）カッターホルダにカッターを緩やかに引っ掛けるステップと、
ｃ）カッターホルダのゼロ位置へカッターホルダを降下させるステップと、
ｄ）カッターのゼロ位置である断裁台へとカッターを降下させるステップと、
ｅ）カッターのゼロ位置でカッターを固定するステップとを有している。
この方法の大きな利点は、カッターが本装置のカッターホルダへ直接取り付けられ、調節後にはそれ以外の調節が必要なくなることである。この方法では、操作者にとって調節コストが特別に小さい。操作者は、カッターをホルダへ緩やかに挿入するだけでよく、正確な調節はカッターホルダをゼロ位置へ降下させることによって行われるので、カッターは、有利には長孔に沿って、最良の位置へと移動する。調節がカッターの自重と土台の位置によって設定されるので、特に、それによって再研削されたカッターおよび／または磨減した土台でも素早く調節することができる。本発明の方法は、各々のカッターのための個別駆動装置を有する装置で実行するのが特別に有利である。
【００３０】
本発明による方法の発展例では、本方法は上記に加えて、ｆ）カッターホルダのゼロ位置を制御技術的に変位させることで、カッターのゼロ位置を修正するステップを含んでいる。ゼロ位置は、すでに上に説明した本発明による装置の実施態様に準じて、駆動装置の転換点と一致するのが好ましい。それにより、装置へ機械的な介入を行わずに、カッターの再調節を瞬時に行うことができる。適切な制御と適切な駆動がなされれば、ゼロ位置の変更を数ミリ単位で調整することができるという利点があり、それにより、断裁深さを刃の厚さよりも細かく調節することができる。
【００３１】
本発明による方法の発展例では、本方法は上記に加えて、ｇ）ステップｂ）の前にカッターに交換用グリップを取り付けるステップを含んでいる。この交換用グリップは、操作者にとってカッターの取扱をいっそう容易にする。交換用グリップは、本装置の使用開始前にカッターから再び取り外され、たとえばネジ止めが外される。緩やかに挿入されている間、安全上の理由から切れ刃にカバーが被せられ、このカバーは、緩やかに引っ掛けた後、ゼロ位置へ降下させる前に取り外される。それにより、カッターで怪我をする危険が減る。
【００３２】
本発明による方法の発展例では、ステップａ）からｅ）および／またはｆ）が本装置の各々のカッターについて個別に実行される。このことは、個別に再調整することもできる天地仕上げカッターにとって特別に重要である。
【発明を実施するための最良の形態】
【００３３】
次に、本発明の実施の形態について図面を参照して説明する。
【００３４】
各図面ならびにその説明は、本発明の要部をなす要素だけに限定している。本装置を作動させるために必要な、一般に周知となっているその他の駆動手段、案内手段、および／または制御手段、カムディスクなどは模式的にのみ図示するか、一般的な意味でのみ説明する。同じ符号は個々の図面で同じ部分を表している。
【００３５】
図１ａに示すように、本装置１００のハウジング８０には、小口仕上げカッター２３が付属する小口仕上げカッターホルダ３３と、天地仕上げカッター２１，２２が付属する２つの天地仕上げカッターホルダ３１，３２とが配置されている。各々のカッターホルダ３１，３２，３３に駆動装置９１，９２，９６がそれぞれ付属しており、駆動伝達部材９３，９４，９７と連結されている。制御部９９が、カッターホルダ３１，３２，３３の運動のために駆動装置９１，９２，９６を制御する。
【００３６】
刷り本１は、まず、判型に応じて第１の断裁位置へ、小口仕上げカッター２３に対して相対的に移動する。前端の断裁が行われた後、刷り本１は両方の天地仕上げカッター２１，２２に対する相関関係で、第２の断裁位置へ移される。側縁の断裁が行われた後、刷り本１は装置１００から運び出される。
【００３７】
図１ｂの側面図には、刷り本１を第１の断裁位置へ、第２の断裁位置へ、および装置１００の内部へ、および装置１００から外部へ運ぶ、２つのくわえづめ１２１，１２２が示されている。第１のくわえづめ１２１は、断裁位置を明示するために２度図示されている。第１のくわえづめ１２１が図１ｂで中央に占めている位置は、前端の断裁が行われた刷り本１が、第２の断裁位置への移動のために第２のくわえづめ１２２に渡される引渡位置である。第２のくわえづめ１２２は、刷り本１を排出部１３５に向かって押し出すことができる突き出しプレート１２５を有しており、その間、同時に刷り本１’が第２の断裁位置へと移される。
【００３８】
図１ｂには、天地仕上げカッター２１，２２のカッターホルダ３１，３２の一部も同じく見ることができる。案内部５０の詳細については図２ａと図２ｂに示されている。カッターホルダ３１，３２，３３は、第１のカッターホルダハウジングプレート６１と、第２のカッターホルダハウジングプレート６２と、カッターホルダハウジングプレート６１，６２の間の連結部材とで構成されたカッターホルダハウジング６１，６２の内部で動く。このカッターホルダハウジングプレート６１，６２の内部では、カッターホルダ３１，３２，３３は案内プレート５０により側方に案内される。案内プレート５０は、１つの有利な実施形態では、ＰＥＴからなるプレートである。案内プレート５０の位置は、カッターホルダ３１，３２，３３の少なくとも一方の側に設けられた調節ネジ５１によってアライメントすることができる。
【００３９】
図３ａ，３ｂ，３ｃには、駆動伝達部材９３，９４，９７の実施形態が示されている。図３ｂは、カッター２１，２２，２３が切れ刃台とちょうど平行に接触するカッター２１，２２，２３のゼロ位置でのカッターホルダ３１，３２，３３を示している。これは、カッターホルダ３１，３２，３３のゼロ位置にも相当している。それに対して図３ａでは、カッター交換の役目をする持ち上げられた位置で、カッターホルダ３１，３２，３３が示されている。カッターホルダ３１，３２，３３の駆動装置９１，９２，９６は、たとえば、駆動ディスク７２を作動させる電動モータとして構成されている。駆動ディスク７２に偏心して取り付けられた連結部材６３を介して、連結部材６４を介して第１の連結器６９と連結されたロッド７１が駆動される。第１の連結器６９は、連結部材６６を介して、第１および第２のカッターホルダハウジングプレート６１，６２と連結されている。さらに、第１の連結器６９は連結部材６５を介してカッターホルダ３１，３２，３３と回転可能に連結されている。第２の連結器７０が、連結部材６８によって回転可能に第１および第２のカッターホルダハウジングプレート６１，６２に取り付けられている。他方の端部では、第２の連結器７０は連結部材６７によってカッターホルダ３１，３２，３３に回転可能に取り付けられている。第１の連結器６９と第２の連結器７０は、第１の連結器６９の連結部材６５および６６を結んだ線と、第２の連結器７０の連結部材６７および６８を結んだ線とが実質的に平行であるが、第２の連結器７０の連結部材６７および６８の間の距離が、第１の連結器６９の連結部材６５および６６の間の距離よりも若干長くなるように、カッターホルダ３１，３２，３３およびカッターホルダハウジングプレート６１，６２と連結されている。それにより、下降運動のときにカッター２１，２２，２３は断裁表面と平行に動くのではなく、むしろ、断裁工程のときに切れ刃２１，２２，２３は刷り本１との間に、図３ａおよび図３ｂに示す構成では左方に向かって刷り本１を通っていく１つの接触部位しか表面に有さないことになる。
【００４０】
カッター２１，２２，２３には、図示しないグリップを中にねじ込むことができるネジ穴２７が設けられている。カッター交換を行うために、カッターホルダ３１，３２，３３が図３ａに示すように持ち上げられ、グリップがネジ穴２７にねじ込まれる。カッター交換のときに怪我をする危険をなくすために、切れ刃には保護キャップが装着される。そして、カッターホルダ３１，３２，３３とともにカッター２１，２２，２３を長孔２４にネジ止めしているネジが外される。すると、カッター２１，２２，２３は一方ではＬ字型の切欠き２５、他方ではポケット状の切欠き２６で、グリップに緩やかに引っ掛かっているにすぎなくなる。図３ａのカッター交換位置でカッターホルダ３１，３２，３３が少し斜め位置なっていることで、カッター２１，２２，２３の自重がグリップを切欠き２６，２７の中に押し込む。側方へスライドさせることで、操作者はグリップを用いてカッター２１，２２，２３をカッターホルダ３１，３２，３３から引き抜き、新しいカッターを切欠き２６，２７へ緩やかに引っ掛けることができる。その次に、カッター２１，２２，２３をカッターホルダ３１，３２，３３へ取り付けるためのネジを、長孔２４と一直線上に並ぶねじ山に入れて、カッター２１，２２，２３に緩やかにねじ込む。そしてグリップを取り除くと、カッター２１，２２，２３はこれらのネジに緩やかに引っ掛かっている。次いで、カッター保護部をカッター２１，２２，２３から予め取り除いておいた後、カッターホルダ３１，３２，３３がゼロ位置へ移動するように、駆動装置９１，９２，９６が制御部９９によって作動させられる。カッターホルダ３１，３２，３３のゼロ位置では、カッター２１，２２，２３は断裁台の上に載る。このとき、カッターホルダ３１，３２，３３にカッター２１，２２，２３を固定するためのネジは、長孔２４の内部で最良の位置を自動的にとる。そしてカッター交換を終わらせるには、ネジを長孔２４に締め付け、それによってカッター２１，２２，２３をカッターホルダ３１，３２，３３に固定するだけでよい。
【００４１】
制御部９９は、カッターホルダ３１，３２，３３がゼロ位置に達し、それによってカッター２１，２２，２３がゼロ位置に達すると、駆動装置９１，９２，９６が駆動の逆転を行うように、駆動装置９１，９２，９６を制御する。それにより、ゼロ位置の位置に対して制御技術的に影響を与えることができる。ゼロ位置の位置を下げるには、つまりいっそう深くまで断裁を行うためには、駆動装置９１，９２，９６の駆動の逆転の時点を後に選択するだけでよく、ゼロ位置の位置を上方へ移したいときにはこれと逆になる。つまり、カッター交換の後に操作者がゼロ位置の位置で満足できないときは、制御部９９を通じて、そのカッター２１，２２，２３に付属する相応の駆動装置９１，９２，９６に介入して、これら個々の駆動装置９１，９２，９６についてゼロ位置が変化するようにする。すべてのカッターホルダ３１，３２，３３が独自の駆動装置９１，９２，９６を有していることにより、このようなゼロ位置の変更を互いに無関係に行うことができる。このとき、ゼロ位置の近くではカッター２１，２２，２３の切れ刃が切れ刃台と実質的に平行なので、カッターの機械的な再調節は通常まったく必要ない。制御部９９が相応に製作されていれば、もしくは駆動装置９１，９２，９６が相応に製作されていれば、このようにしてカッターホルダ３１，３２，３３のゼロ位置の変更を数マイクロメートルの範囲で可能である。
【００４２】
図４ａ，４ｂ，および４ｃには、断裁された刷り本１の判型に合わせて調節をするために、天地仕上げカッターを水平方向へスライドさせるための駆動装置が示されている。天地仕上げカッターホルダ３１，３２は、すでに説明したように、カッターホルダハウジングに取り付けられている。第１のカッターホルダハウジングプレート６１に取り付けられた駆動装置９１，９２とともに、このカッターホルダハウジングは２つの強固な案内ロッド８５，８６に水平方向へスライド可能なように支持されている。案内ロッド８５および８６は、本発明の装置１００のハウジング８０に両側で支持されており、それにより、ハウジング８０の安定性に大きく貢献している。案内ロッド８５，８６に沿った経路の半分のところに支持部材８８が取り付けられている。支持部材８８も同じく装置１００のハウジング８０に取り付けられている。この支持部材８８のおかげで、案内ロッド８５，８６の直径を比較的小さくすませることができ、それにもかかわらず、断裁時に発生する著しい力のときのハウジングの十分な安定性と、案内ロッド８５，８６を撓曲させない防護とが保証される。
【００４３】
案内ロッド８５，８６の下側にこれと平行して、一方の側で支持部材８８に支持され、他方の側では装置１００のハウジング８０のハウジング壁に支持された、２つのネジ付きスピンドル１４５，１４６がそれぞれ配置されている。ネジ付きスピンドル１４５，１４６には、ネジ山ブッシュ１４８に支持されるカッターホルダハウジング６１，６２が取り付けられている。天地仕上げカッター調節駆動部１４１が、ハウジング８０の一方の側で、駆動ベルト１４３を介して、一方の天地仕上げカッターホルダハウジング６１，６２のネジ付きスピンドル１４５と連結されている。伝達軸１４２と駆動ベルト１４４を介して、天地仕上げカッター調節駆動部１４１は第２の天地仕上げカッターホルダハウジング６１，６２のネジ付きスピンドル１４６と連結されている。それにより天地仕上げカッターは、天地仕上げカッターハウジングとともに、本装置の中心に対して同期してスライド可能である。カッターホルダハウジングの案内ロッド８５，８６による両側の案内は、システムの高い安定性と、それに伴うきれいな切口を生みだす。
【００４４】
図５ａおよび図５ｂには、断裁工程が始まる前に、カッターホルダハウジングを案内ロッド８６，８６の上で固定することができる固定装置が示されている。ブレーキ調節部材１５０が、偏心軸１５２を回転させるブレーキレバー１５１を作動させる。偏心面１５３は、ブレーキレバー１５１の回転時の半径の変化を垂直方向の運動に変換し、それによってブレーキブロック１５５を案内ロッド８５，８６の表面と接触させる接触ブロック１５４と接触している。ブレーキ調節部材１５０が符号１５６で示す運動方向に動かされ、それによってカッターホルダハウジングが案内ロッド８５，８６の上で固定されるとすぐに、ネジ付きスピンドル１４５，１４６が解放される。それにより、断裁時に発生する横方向力が、ネジ付きスピンドル１４５，１４６に負荷をかけることがなくなり、このことは、ネジ付きスピンドル１４５，１４６の耐久性にプラスに作用する。
【００４５】
図６には、刷り本１をカッター切れ刃２１，２２，２３のすぐ近くで押え付け、それによって平滑な側面および前端の断裁を実行できるようにする装置が示されている。この装置は、小口仕上げカッター２３および２つの天地仕上げカッター２１，２２に設けられるのが好ましい。押圧条片１６７は、２つの押圧条片ロッド１６９で垂直方向案内部１６６に支持されている。押圧条片ロッド１６９の端部には、トグルレバー１６４の長孔に支持された連行体１６９’が取り付けられている。垂直方向案内部１６６は第２のカッターホルダハウジングプレート６２とネジ止めされている。トグルレバー１６４は、トグルレバー回転点１６５で同じく第２のカッターホルダハウジングプレート６２に連結されている。両方のトグルレバー１６４は、押圧条片駆動部１６０により駆動される推進ロッド１６１と推進ロッド延長部１６２を介して連結された横木１６３と連結されている。押圧条片駆動部１６０は、たとえば空気圧式の駆動装置である。押圧条片駆動部１６０が作動すると、横木１６３を介して両方のトグルレバー１６４が同時に回転し、その結果、押圧条片ロッド１６９は押圧条片１６７を上方に向かって垂直方向へ押圧する。長孔１６８により、たとえば軸受の損傷につながりかねない水平方向の運動成分が抑圧される。空気圧式の駆動がこのように機械的に変換されることで、押圧条片１６７は切れ刃面と常に平行に運動し、それにより、刷り本の厚さのあらゆる不均一さが消し去られる。
【００４６】
同じく図６には、図７ａ，ｂ，ｃにさらに詳細が示されている、刷り本１を平坦に押え付ける装置も示されている。この装置は、天地の断裁時に刷り本１を広い面積で固定し、刷り本１のページの間にある空気を断裁前に押し出す役目をする。この装置は２つの部分、すなわち、押圧プレート１８０を運動させるための機械固定された機構と、交換可能な押圧プレート１８０自体とで構成されている。装置固定された機構は、推進ロッド１７１を駆動する押圧面駆動部１７０、たとえば空気圧シリンダで構成されている。推進ロッド１７１は横方向ロッド１７２と連結されている。さらに、横方向ロッド１７２は、第１および第２の垂直方向案内部１７４，１７５に支持された２つの押圧面案内ロッド１７３と連結されている。
【００４７】
押圧プレート１８０はその上面に、横方向ロッド１７２に押し込むことができる、前側の押圧プレート連結部材１８２と後側の押圧プレート連結部材１８１とを有している。前側の押圧プレート連結部材１８２の領域には、押圧プレート１８０の目標位置に達すると横方向ロッド１７２に係止される係止部１８３が設けられている。押圧プレート１８１は、さらに、グリップ１９５のねじ山１９６をねじ込むことができる雌ネジ１８６を有している。グリップ１９５は、前側および後側の押圧プレート連結部材１８１，１８２と一直線上に並ぶグリップ案内部１９７を有している。
【００４８】
刷り本１のきれいな側面の断裁を行えるようにするためには、刷り本ができるだけ面全体にわたって押え付けられることが必要である。刷り本は通常その寸法が処理ジョブごとに変わるので、押圧プレート１８０を判型に応じて交換することが必要である。側面の断裁をするための第２の断裁位置にある刷り本の下側のスペースは通常アクセスしにくいので、本発明による装置１００は導入補助具１９０を有している。導入補助具１９０は、導入補助案内部１９３を介して支持部材８８と連結されたレールで構成されている。導入ロッド１９０は、導入補助案内条片１９２に沿って摺動し、固定プレート交換のために横方向ロッド１７２と一直線上に並べることができる。導入ロッド１９０と横方向ロッド１７２は同じ断面を有している。固定プレート交換のときに、横方向ロッド１７２と導入補助具１９０を同軸にするために、導入ロッド１９０はその端部に、横方向ロッド１７２に嵌り合うラグ１９１を有している。導入ロッド１９０と横方向ロッド１７２が一直線上に並ぶと、グリップ１９５を使って押圧プレート１８０を導入ロッド１９０に向かって押し出し、横方向ロッド１７２のところまで押していくことができる。導入ロッド１９０を横方向ロッド１７２に差し込むことで、係止部１８３が外れる。導入補助具１９０を再び横方向ロッド１７２から取り外すと、係止部１８３が自動的に係止され、それによって押圧プレート１８０を固定する。押圧プレート１８０が横方向ロッド１７２に係止されるとすぐに、グリップ１９５を回して外し、導入補助具１９０を、第２の断裁位置の上の領域から離れるように動かすことができる。
【００４９】
刷り本１のサイズに最良に合わせるために、押圧プレート１８０は押圧プレート拡大部１８５をその下面に受け入れることができる。押圧プレート拡大部１８５は、たとえば、押圧プレート１８０の下面に予め取り付けられ、次いで、以後の刷り本の判型設定に対応する、天地の断裁のための判型設定で断裁された厚い板紙であってよい。
【図面の簡単な説明】
【００５０】
【図１ａ】本発明の装置の個別駆動装置を示す概略図である。
【図１ｂ】刷り本の搬送経路とともに本装置を示す概略的な側面図である。
【図２ａ】カッターホルダー案内部を示す概略的な側面図である。
【図２ｂ】カッターホルダ案内部を示す概略的な断面図である。
【図３ａ】カッターホルダとカッターホルダの駆動装置をゼロ位置で示す概略的な側面図である。
【図３ｂ】カッターホルダとカッターホルダの駆動装置を引掛け位置で示す概略的な側面図である。
【図３ｃ】カッターホルダとカッターホルダの駆動装置をゼロ位置で示す概略的な断面図である。
【図４ａ】カッターホルダハウジングの水平方向スライド装置とその駆動装置を示す概略的な断面図である。
【図４ｂ】カッターホルダハウジングの水平方向スライド装置とその駆動装置を示す概略的な側面図である。
【図４ｃ】カッターホルダハウジングの水平方向スライド装置とその駆動装置を示す概略的な平面図である。
【図５ａ】カッターホルダハウジングのブレーキを示す概略的な平面図である。
【図５ｂ】カッターホルダハウジングのブレーキを示す概略的な断面図である。
【図６】押圧条片とその駆動装置を示す概略的な側面図である。
【図７ａ】押圧プレートとその駆動装置および案内部を示す概略的な断面図である。
【図７ｂ】押圧プレート、その駆動装置と案内部、ならびに導入補助具を示す概略的な側面図である。
【図７ｃ】グリップがねじ込まれた押圧プレートを示す概略的な側面図である。
【図７ｄ】押圧プレート、その駆動装置と案内部、ならびに導入補助具とグリップを示す概略的な平面図である。
【符号の説明】
【００５１】
１，１’  刷り本
２１  天地仕上げカッター
２２  天地仕上げカッター
２３  小口仕上げカッター
２４  長孔
２５  切欠き
２６  切欠き
２７  ネジ穴
３１  天地仕上げカッターホルダ
３２  天地仕上げカッターホルダ
３３  小口仕上げカッターホルダ
５０  案内プレート
６１  カッターホルダハウジングプレート
６２  カッターホルダハウジングプレート
６３  連結部材
６４  連結部材
６５  連結部材
６６  連結部材
６７  連結部材
６８  連結部材
６９  第１の連結器
７０  第２の連結器
７１  ロッド
７２  駆動ディスク
８０  ハウジング
８５  案内ロッド
８６  案内ロッド
８８  支持部材
９１  駆動装置
９２  駆動装置
９３  駆動伝達部材
９４  駆動伝達部材
９６  駆動装置
９７  駆動伝達部材
９９  制御部
１００  本発明の装置
１２１  くわえづめ
１２２  くわえづめ
１２５  突き出しプレート
１３５  排出部
１４１  天地仕上げカッター調節駆動部
１４２  伝達軸
１４３  駆動ベルト
１４５  ネジ付きスピンドル
１４６  ネジ付きスピンドル
１４８  ネジ山ブッシュ
１５０  ブレーキ調節部材
１５２  偏心軸
１５３  偏心面
１５４  接触ブロック
１５５  ブレーキブロック
１５６  運動方向
１６０  押圧条片駆動部
１６１  推進ロッド
１６２  推進ロッド延長部
１６３  横木
１６４  トグルレバー
１６５  トグルレバー回転点
１６６  垂直方向案内部
１６７  押圧条片
１６８  長孔
１６９  押圧条片ロッド
１７０  押圧面駆動部
１７１  推進ロッド
１７２  横方向ロッド
１７３  押圧面案内ロッド
１７４  垂直方向案内部
１７５  垂直方向案内部
１８０  押圧プレート
１８１  後側の押圧プレート連結部材
１８２  前側の押圧プレート連結部材
１８３  係止部
１８５  押圧プレート拡大部
１８６  雌ネジ
１９０  導入補助具
１９１  ラグ
１９２  導入補助案内条片
１９３  導入補助案内部
１９５  グリップ
１９６  ねじ山
１９７  グリップ案内部
【図１ａ】
2004330410.tif 000003
【図１ｂ】
2004330410.tif 000004
【図２ａ】
2004330410.tif 000005
【図２ｂ】
2004330410.tif 000006
【図３ａ】
2004330410.tif 000007
【図３ｂ】
2004330410.tif 000008
【図３ｃ】
2004330410.tif 000009
【図４ａ】
2004330410.tif 000010
【図４ｂ】
2004330410.tif 000011
【図４ｃ】
2004330410.tif 000012
【図５ａ】
2004330410.tif 000013
【図５ｂ】
2004330410.tif 000014
【図６】
2004330410.tif 000015
【図７ａ】
2004330410.tif 000016
【図７ｂ】
2004330410.tif 000017
【図７ｃ】
2004330410.tif 000018
【図７ｄ】
2004330410.tif 000019